(57)【要約】【課題】紙または合成樹脂を主体としたシートを利用してＬ形の支柱に取り付けるのぼり旗を低コストで量産し得るようにした小型のぼり旗及びその製造方法を提供する。【解決手段】Ｌ形の支柱に取り付けるための小型のぼり旗において、紙または合成樹脂を主材とするシートを使用して方形平面の上辺に少なくとも２つの突出片を形成すると共に一側辺に少なくとも１つの突出片を形成して各突出片に前記支柱を挿通する挿通穴を形成し、さらに前記方形平面の一側辺に１つの突出片を設けた場合には該突出片に挿通穴のみが形成され、前記方形平面の一側辺に複数の突出片を設けた場合には各突出片の挿通穴から夫々の突出片以外の方形平面の縁部に回り込んで切開される切込みが形成され、該切り込みから前記支柱を挿入するようにした。【選択図】図２
2004226442.tif 000002
【特許請求の範囲】
【請求項１】
上方に張出部を有するＬ形の支柱に取り付けるための小型のぼり旗において、紙または合成樹脂を主材とするシートを使用して方形平面の上辺に少なくとも２つの突出片を形成すると共に一側辺に少なくとも１つの突出片を形成して各突出片に前記支柱を挿通する挿通穴を形成し、さらに前記方形平面の一側辺に１つの突出片を設けた場合には該突出片に挿通穴のみが形成され、前記方形平面の一側辺に複数の突出片を設けた場合には各挿通穴から夫々の突出片以外の方形平面の縁部に回り込んで切開される切込みが形成され、該切り込みから前記支柱を挿入するようにしたことを特徴とする小型のぼり旗。
【請求項２】
上方に張出部を有するＬ形の支柱に取り付けるための小型のぼり旗の製造方法において、紙または合成樹脂を主材とするシートに対し、方形平面の上辺に少なくとも２つの突出片を形成すると共に一側辺に少なくとも１つの突出片を形成して各突出片に前記支柱を挿通する挿通穴を有する形状、または該挿通穴の全部またはいずれかに各挿通穴から夫々の突出片以外の方形平面の縁部に回り込んで切開される切込みを有する形状が、打抜加工によって一発で成形されるようにしたことを特徴とする小型のぼり旗の製造方法。
【発明の詳細な説明】
【０００１】
【発明の属する技術分野】
本発明は、陳列台等の上に表示する小型のぼり旗に関し、紙または合成樹脂を主体としたシートを利用してのぼり旗を構成するようにした小型のぼり旗及びその製造方法に関する。
【０００２】
【従来の技術】
近年において、のぼり旗は、商品の宣伝やイベントの紹介等に利用されている。このようなのぼり旗の従来例としては、引用文献１または引用文献２に記載のものがある。
【０００３】
引用文献１に記載の発明は、図６に示すように、旗布２０の側辺及び上辺に沿った複数箇所に乳輪２１を縫着し、夫々の乳輪２１、２１…を支柱２２に装着するようにしたものである。
【０００４】
また、引用文献２に記載の発明は、水などを収納する空間部を備えた支持台３０に、伸縮ポール３１を着脱自在に立設すると共に、該伸縮ポール３１を支持台３０に連結した複数の支持材３２、３２…によって補強し、伸縮ポール３１及び該伸縮ポール３１の先端部に回転自在に取り付けた回転アーム３３に複数のフック材３４を介してのぼり旗３５を掛止するようにしたものである。
【０００５】
【引用文献１】
特開２００１−１８８４９２号公報
【引用文献２】
特開２００２−２７８４８９号公報
【０００６】
【発明が解決しようとする課題】
ところが、引用文献１及び引用文献２に記載されたのぼり旗は、通常の大きさを有するのぼり旗を構成したものであり、のぼり旗２０、３５はいずれも布製であって、支柱２０または伸縮ポール３５に係止する手段においても、のぼり旗２０の端部に乳輪２１を縫着するか、またはフック材３４を掛止する構成としてある。
【０００７】
ところで、上記のような通常の大きさを有するのぼり旗のほかに、近年においては、陳列台や卓上に設置するようにした小型のぼり旗が使用されるようになっている。
【０００８】
このような小型のぼり旗としては、引用文献１や引用文献２のように布製のぼり旗及び乳輪或はフック材をそのまま小型化したものが周知であるが、小型であるだけに細部の加工に手間を要し、量産の支障となり、低コスト化の妨げとなっていた。
【０００９】
本発明は、上記の事情に鑑みてなされたもので、紙または合成樹脂を主体としたシートを利用してＬ形の支柱に取り付けるのぼり旗を低コストで量産し得るようにした小型のぼり旗及びその製造方法を提供することを目的とする。
【００１０】
【課題を解決するための手段】
上記の課題を解決するために、本発明の請求項１の小型のぼり旗は、上方に張出部を有するＬ形の支柱に取り付けるための小型のぼり旗において、紙または合成樹脂を主材とするシートを使用して方形平面の上辺に少なくとも２つの突出片を形成すると共に一側辺に少なくとも１つの突出片を形成して各突出片に前記支柱を挿通する挿通穴を形成し、さらに前記方形平面の一側辺に１つの突出片を設けた場合には該突出片に挿通穴のみが形成され、前記方形平面の一側辺に複数の突出片を設けた場合には各挿通穴から夫々の突出片以外の方形平面の縁部に回り込んで切開される切込みが形成され、該切り込みから前記支柱を挿入するようにしたことを特徴とする。
【００１１】
また、本発明の請求項２の小型のぼり旗の製造方法は、上方に張出部を有するＬ形の支柱に取り付けるための小型のぼり旗の製造方法において、紙または合成樹脂を主材とするシートに対し、方形平面の上辺に少なくとも２つの突出片を形成すると共に一側辺に少なくとも１つの突出片を形成して各突出片に前記支柱を挿通する挿通穴を有する形状、または該挿通穴の全部またはいずれかに各挿通穴から夫々の突出片以外の方形平面の縁部に回り込んで切開される切込みを有する形状が、打抜加工によって一発で成形されるようにしたことを特徴とする。
【００１２】
【発明の実施の形態】
以下、本発明の実施例について図面を参照しながら説明する。
【００１３】
本発明によるのぼり旗１は、図１または図２に示すように、上方に張出部２を有するＬ形の支柱３に取り付けるようにしたものである。この支柱３は、例えばワイヤ等の細径の金属棒からなり、この支柱３を支持台４の垂直方向に固定すると共に、該支柱３の上部を水平方向に折曲してなる張出部２を備えている。
【００１４】
支持台４は、図１または図２に示すように、吸盤の上部中央に支柱３を挿着する挿通穴４ａを形成したものでもよいし、不図示であるが、クリップ等の挟持部材で構成してもよく、のぼり旗１の設置箇所によって種々の取付具を用いることができる。
【００１５】
また、支柱３の張出部２は、図１に示すように、その端部に例えば球状のストッパ６ａを挿着固定し、または図２に示すように、その端部を湾曲状に折曲形成してなるストッパ６ｂとすることにより、張出部２をのぼり旗１の各挿通穴１０に挿着した際の抜け止めとし、或は張出部２の先端が鋭利になっている場合の危険防止とするようにしている。
【００１６】
このような支柱３に取り付ける本発明ののぼり旗１は、例えば図３に示すように、紙または合成樹脂を主材とするシート７に対して打抜加工によって一発で成形される。
【００１７】
具体的には、紙または合成樹脂を主材とするシート７、或は紙または合成樹脂を主材とするシート７の表面に印刷を施したり、防水皮膜で被覆した材料等を用いたシート７の面内に、方形平面５の上辺及び側辺の所定箇所に形成された突出片９、挿通口１０、切込み１１を有する所定ののぼり旗の形状８を打抜型（不図示）で打ち抜く。このとき、複数枚のシート７を重ねることによって複数枚ののぼり旗の形状８を一括して形成することも可能である。
【００１８】
なお、図３に示すのぼり旗の形状８は、図２に示すのぼり旗１に対応した形状であり、他に、図１に示すのぼり旗の形状その他ののぼり旗の形状をシート７に対する所定形状の打抜型（不図示）によって形成することができる。
【００１９】
上記のように、本発明ののぼり旗１に紙または合成樹脂を主材とするシート７を使用することにより、のぼり旗１の両面に印刷を施しても印刷内容が透けて見えないため、明瞭な印刷面を確保することができる。これに対して、従来のように、のぼり旗に布を使用した場合、片面の印刷内容がその裏面に透けて見えるため、両面印刷ができないだけでなく、片面の印刷がその裏面に映って文字が反対に見えるという不都合が生じる。
【００２０】
また、本発明ののぼり旗１の外形形状８は、図１または図２に示すように、方形平面５の上辺に少なくとも２つの突出片９、９を形成すると共に一側辺に少なくとも１つの突出片９を形成して各突出片９に支柱３を挿通する挿通穴１０を形成している。
【００２１】
上記の形状を２つの実施例に即して述べると、図１に示すのぼり旗１は、方形平面５の上辺に２つの突出片９、９を離間して形成すると共に、方形平面５の一側辺の下方に突出片９ｂを形成し、各突出片９、９、９ｂに挿通穴１０を形成したものである。このような構成において、支柱３の張出部２の端部を方形平面５の一側辺の突出片９ｂに挿通した後、該張出部２を方形平面５の上方に持ってきて、該張出部２を方形平面５の上辺の各突出片９、９の挿通穴１０、１０に挿通することにより、Ｌ形の支柱３に本発明の小型のぼり旗１を取り付けることができる。
【００２２】
なお、支柱３の張出部２の端部に取り付けたストッパ６ａが各突出片９の挿通穴１０よりも大径である場合、ストッパ６ａを張出部２の端部から抜き取って、各突出片９の挿通穴１０に張出部２の端部を挿通した後、該張出部２の端部にストッパ６ａを再び挿着すればよい。
【００２３】
さらに、図２に示すのぼり旗１は、方形平面５の上辺に２つの突出片９、９を離間して形成すると共に、方形平面５の一側辺の上方と下方に突出片９ａ、９ｂを形成し、各突出片９、９、９ａ、９ｂに挿通穴１０を形成したものである。このような構成において、支柱３の張出部２の端部が核挿通穴１０よりも大径のストッパ６ｂに形成されている場合、この張出部２の端部から各挿通穴１０に挿通することが不可能であるため、各挿通穴１０に切込み１１を設けて切開し、図４（ｂ）に示すように、各切り込み１１を開いて支柱３及び張出部２を挿入することによって、本発明の小型のぼり旗１をＬ形の支柱３に取り付けることが可能となる。
【００２４】
なお、図２に示すのぼり旗１のように方形平面５の一側辺の上方と下方に離間して突出片９ａ、９ｂが形成されている場合、支柱３の張出部２の端部を方形平面５の下方の突出片９ｂと上方の突出片９ａの各挿通穴１０、１０に挿通した後に、該張出部２を上辺の各突出片９、９の挿通穴１０、１０に挿通することができない。このような場合に、上辺の各突出片９、９の挿通穴１０、１０に切込み１１を形成することによって、張出部２の挿入が可能となる。
【００２５】
また、本実施例において、各突出片９に形成した切込み１１は各挿通穴１０から夫々の突出片９以外の方形平面の縁部に回り込んで切開された形状にされている。切込み１１をこのような形状にしたのは、図４（ａ）に示すように、切込み１１を開いて支柱３を挿通穴１０に挿通した状態において、切込み１１の形状が挿通穴１０からなるべく奥まった位置に形成されることによって、図４（ｂ）に示すように、支柱３が挿通穴１０から抜け出し難くしたためである。
【００２６】
ちなみに、図４（ｃ）に示すように、切込み１１’を挿通穴１０から突出片９内の縁部に抜けるように形成した場合、切込み１１’の形状が挿通穴１０の近傍に形成されることによって、挿通穴１０に挿通された支柱３が切込み１１から抜け出しやすくなる。
【００２７】
上記の構成によって、紙または合成樹脂を主材とするシート７を使用して打抜型で一発成形した小型のぼり旗１をＬ形の支柱３に取り付けることができ、図５に示すように吸着盤４のほかに多様な取付具を利用して陳列台１２等に展示することが可能となる。
【００２８】
【発明の効果】
以上説明したように、本発明の小型のぼり旗は、紙または合成樹脂を主材とするシートに形成されているため、のぼり旗の両面に明瞭な印刷を施すことが可能である。このような本発明の小型のぼり旗においては、方形平面の一側辺に１つの突出片を設けた場合と、複数の突出片を設けた場合のいずれにおいても、本発明ののぼり旗を、上部に張出部を有するＬ形の支柱に容易に取り付けることができる。
【００２９】
また、本発明の小型のぼり旗の所定位置に設けられた各突出片の切込みを開くことによって該切り込みから支柱或は張出部を各挿通穴に容易に挿通することができる。
【００３０】
また、本発明の小型のぼり旗の各突出片の挿通穴に形成された切込みを開くことによって上部に張出部を有するＬ形の支柱を挿通することが容易であり、夫々の切込みは各挿通穴から夫々の突出片以外の方形平面の縁部に回り込んで切開されているため、いったん挿通された支柱は挿通穴から抜け出し難く、本発明の小型のぼり旗に人の手が触れたり風が吹いたりしても、各挿通穴から抜き出たりせず、綺麗な取付状態を保つことができる。
【００３１】
さらに、本発明の小型のぼり旗においては、紙または合成樹脂を主材とするシートに対する打抜加工によって突出片、挿通穴及び切込み等の所定形状を一発で成形することがができるため、小型のぼり旗を非常に低コストで量産することが可能となる。
【図面の簡単な説明】
【図１】本発明によるのぼり旗の一実施例を示す正面図である。
【図２】本発明によるのぼり旗の他の実施例を示す正面図である。
【図３】本発明によるのぼり旗の製造方法を示す平面図である。
【図４】（ａ）及び（ｂ）は、本発明による切込み形状で支柱に挿着している状況を示す部分拡大図であり、（ｃ）は本発明ではない切込み形状を示す部分拡大図である。
【図５】本発明によるのぼり旗の使用状況を示す斜視図である。
【図６】従来ののぼり旗を示す斜視図である。
【図７】従来の他ののぼり旗を示す斜視図である。
【符号の説明】
１…のぼり旗
２…張出部
３…支柱
４…支持台
５…方形平面
６ａ、６ｂ…ストッパ
７…シート
８…のぼり旗の形状
９…突出片
９ａ…上方の突出片
９ｂ…下方の突出片
１０…挿通穴
１１…切込み
１２…取付台
【図１】
2004226442.tif 000003
【図２】
2004226442.tif 000004
【図３】
2004226442.tif 000005
【図４】
2004226442.tif 000006
【図５】
2004226442.tif 000007
【図６】
2004226442.tif 000008
【図７】
2004226442.tif 000009